(57)【要約】【課題】ダイレクトオンモードが設定されている場合に、異常の再発を防止するプロジェクターを提供する。【解決手段】プロジェクター１は、外部電源から電力が供給されたときに光源１１の点灯を開始するダイレクトオンモードを設定可能なモード設定部２４と、プロジェクター１の異常を検知する異常検知部と、異常検知部が検知した異常を異常情報として記憶する異常記憶部２３と、異常記憶部２３が記憶した異常情報を報知する異常報知部（ＬＥＤ２７）と、プロジェクター１の動作を制御する制御部２０と、を備え、制御部２０は、外部電源からの電力が遮断されている第１の状態において、モード設定部２４にダイレクトオンモードが設定されており、且つ異常記憶部２３に異常情報が記憶されている場合に、外部電源から電力が供給されると、光源１１を点灯することなく、異常報知部に異常情報を報知させる第２の状態に切り替える。【選択図】図１
2012003043.tif 000002
【特許請求の範囲】
【請求項１】
光源から射出された光を画像情報に応じて画像光に変調して投写する画像投写部を有するプロジェクターであって、
外部電源から電力が供給されたときに前記光源の点灯を開始する第１のモード、または、前記外部電源から電力が供給されたときに前記光源を点灯しない第２のモードのいずれかを設定可能なモード設定部と、
前記プロジェクターの異常を検知する異常検知部と、
前記異常検知部が検知した前記異常を異常情報として記憶する異常記憶部と、
前記異常記憶部が記憶した前記異常情報を報知する異常報知部と、
前記プロジェクターの動作を制御する制御部と、
を備え、
前記制御部は、前記外部電源からの電力が遮断されている第１の状態において、前記モード設定部に前記第１のモードが設定されており、且つ前記異常記憶部に前記異常情報が記憶されている場合に、前記外部電源からの電力が供給されると、前記光源を点灯することなく、前記異常報知部に前記異常情報を報知させる第２の状態に切り替えることを特徴とするプロジェクター。
【請求項２】
請求項１に記載のプロジェクターであって、
前記プロジェクターに対する操作を受け付ける操作受付部と、
前記異常情報をメッセージ画面として表すためのメッセージ画面情報を記憶するメッセージ画面記憶部と、
をさらに備え、
前記制御部は、前記第２の状態において、前記操作受付部によって第１の操作を受け付けると、前記画像投写部に前記光源を点灯させ、前記メッセージ画面記憶部に記憶された前記メッセージ画面情報に応じた画像光を投写させる第３の状態に切り替えることを特徴とするプロジェクター。
【請求項３】
請求項１または２に記載のプロジェクターであって、
前記画像情報が入力される画像情報入力部をさらに備え、
前記制御部は、前記第３の状態において、前記操作受付部によって第２の操作を受け付けると、前記画像投写部に前記メッセージ画面情報に応じた画像光の投写を終了させ、前記画像情報入力部に入力された前記画像情報に応じた画像光を投写させる第４の状態に切り替えることを特徴とするプロジェクター。
【請求項４】
請求項１または２に記載のプロジェクターであって、
前記画像情報が入力される画像情報入力部をさらに備え、
前記制御部は、前記第３の状態において、所定の時間が経過すると、前記画像投写部に前記メッセージ画面情報に応じた画像光の投写を終了させ、前記画像情報入力部に入力された画像情報に応じた画像光を投写させる第４の状態に切り替えることを特徴とするプロジェクター。
【請求項５】
光源から射出された光を画像情報に応じて画像光に変調して投写する画像投写部を備えるプロジェクターの制御方法であって、
外部電源から電力が供給されたときに前記光源の点灯を開始する第１のモード、または、前記外部電源から電力が供給されたときに前記光源を点灯しない第２のモードのいずれかの設定を行うモード設定ステップと、
前記プロジェクターの異常を検知する異常検知ステップと、
前記異常検知ステップによって検知された前記異常を異常情報として記憶する異常記憶ステップと、
前記異常記憶ステップによって記憶された前記異常情報を報知する異常報知ステップと、
を備え、
前記モード設定ステップによって前記第１のモードが設定されており、且つ前記異常記憶ステップによって前記異常情報が記憶されている場合、
前記外部電源からの電力が遮断されている第１の状態において、前記外部電源から電力が供給されると、前記光源を点灯することなく、前記異常報知ステップによって前記異常情報を報知させる第２の状態に切り替える制御ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、プロジェクターにおいて、商用電源（ＡＣ電源）から電力が供給されたときに、当該プロジェクターの光源を点灯して投写を開始するモード（以降、「ダイレクトオンモード」と呼ぶ）を備えたものが知られている。このようなダイレクトオンモードを備えたプロジェクターによれば、商用電源から電力を供給するだけで投写が開始されるため、電源キーによる電源オン操作が不要になる。よって、例えば、複数のプロジェクターを併用する場合や、プロジェクターを他の機器と併用して使用する場合等に、電源投入や電源切断をシステムとして一括して行うことが可能になるため、有効である。
【０００３】
一方、プロジェクターには、例えば、高温異常やセンサーの異常等の異常を検知した場合に、安全のために光源を消灯し、投写を中止して待機状態に移行し、ＬＥＤ等によって使用者に異常を報知する仕組みが備えられている。
【０００４】
ここで、このようなダイレクトオンモードを備えたプロジェクターが、上述したシステムの態様で使用されている場合、使用者による投写画像の監視が行われていない場合（例えば、アミューズメント施設での使用や電子看板としての使用形態）があった。このように使用者による監視が行われていない場合には、プロジェクターが何らかの異常を検知して待機状態に移行しても、使用者がその異常に気付かずに、商用電源からの電力を遮断してしまうことがあった。このような場合、次回、使用者によってプロジェクターに商用電源からの電力が供給されると、ダイレクトオンモードによって、プロジェクターは投写を開始してしまっていた。
【０００５】
特許文献１には、ＡＣオンスタート（ダイレクトオンモード）により起動された場合に、映像入力信号が無信号の状態が所定時間継続すると、光源ランプを消灯して待機状態に移行する画像表示装置（プロジェクター）が開示されている。
【先行技術文献】
【特許文献】
【０００６】
【特許文献１】特開２００７−７２３２２号公報
【発明の概要】
【発明が解決しようとする課題】
【０００７】
しかしながら、このようなプロジェクターにおいても、使用者がプロジェクターの異常に気付かずに商用電源からの電力を遮断した後、商用電源から電力を供給すると、プロジェクターは、ダイレクトオンモードによって光源を点灯して、少なくとも所定時間の投写を行ってしまう。そして、このように投写を行うことによって、プロジェクターは、前回発生した異常を再発してしまう可能性があった。つまり、従来のプロジェクターにおいては、異常が使用者に認識されずに、ダイレクトオンモードによる光源の点灯によって異常を再発してしまうことがあった。
【課題を解決するための手段】
【０００８】
本発明は、上述の課題の少なくとも一部を解決するためになされたものであり、以下の形態または適用例として実現することが可能である。
【０００９】
［適用例１］本適用例に係るプロジェクターは、光源から射出された光を画像情報に応じて画像光に変調して投写する画像投写部を有するプロジェクターであって、外部電源から電力が供給されたときに前記光源の点灯を開始する第１のモード、または、前記外部電源から電力が供給されたときに前記光源を点灯しない第２のモードのいずれかを設定可能なモード設定部と、前記プロジェクターの異常を検知する異常検知部と、前記異常検知部が検知した前記異常を異常情報として記憶する異常記憶部と、前記異常記憶部が記憶した前記異常情報を報知する異常報知部と、前記プロジェクターの動作を制御する制御部と、を備え、前記制御部は、前記外部電源からの電力が遮断されている第１の状態において、前記モード設定部に前記第１のモードが設定されており、且つ前記異常記憶部に前記異常情報が記憶されている場合に、前記外部電源からの電力が供給されると、前記光源を点灯することなく、前記異常報知部に前記異常情報を報知させる第２の状態に切り替えることを特徴とする。
【００１０】
このようなプロジェクターによれば、モード設定部は、第１のモードまたは第２のモードのいずれかを設定可能である。異常検知部は、プロジェクターの異常を検知する。異常記憶部は、異常情報を記憶する。異常報知部は、異常情報を使用者に報知する。そして、制御部は、外部電源からの電力が遮断されている第１の状態において、第１のモードが設定されており、且つ異常情報が記憶されている場合に、外部電源からの電力が供給されると、光源を点灯することなく、異常情報を報知させる第２の状態に切り替える。これにより、使用者が、プロジェクターが異常となっていることに気付かずに外部電源からの電力を遮断した後、外部電源から電力を供給した際には、プロジェクターは光源の点灯を行わないため、異常が再発することを防止することができる。また、使用者は、異常情報の報知によってプロジェクターの異常を認識することができる。そして、使用者は、異常に対する対策を行うことが可能になる。
【００１１】
［適用例２］上記適用例に係るプロジェクターにおいて、前記プロジェクターに対する操作を受け付ける操作受付部と、前記異常情報をメッセージ画面として表すためのメッセージ画面情報を記憶するメッセージ画面記憶部と、をさらに備え、前記制御部は、前記第２の状態において、前記操作受付部によって第１の操作を受け付けると、前記画像投写部に前記光源を点灯させ、前記メッセージ画面記憶部に記憶された前記メッセージ画面情報に応じた画像光を投写させる第３の状態に切り替えることを特徴とする。
【００１２】
このようなプロジェクターによれば、操作受付部は、プロジェクターに対する操作を受け付ける。メッセージ画面記憶部は、異常情報を表すメッセージ画面情報を記憶する。そして、制御部は、第２の状態において第１の操作を受け付けると、光源を点灯させ、メッセージ画面情報に応じた画像光を投写させる第３の状態に切り替える。これにより、使用者は、プロジェクターの異常情報を、投写されたメッセージ画面によって視認することができる。また、メッセージ画面に異常に対する対処方法を表示すれば、使用者は、対処方法を認識することができる。
【００１３】
［適用例３］上記適用例に係るプロジェクターにおいて、前記画像情報が入力される画像情報入力部をさらに備え、前記制御部は、前記第３の状態において、前記操作受付部によって第２の操作を受け付けると、前記画像投写部に前記メッセージ画面情報に応じた画像光の投写を終了させ、前記画像情報入力部に入力された前記画像情報に応じた画像光を投写させる第４の状態に切り替えることを特徴とする。
【００１４】
このようなプロジェクターによれば、画像情報入力部には、画像情報が入力される。制御部は、第３の状態において第２の操作を受け付けると、メッセージ画面情報に応じた画像光の投写を終了させ、入力された画像情報に応じた画像光を投写させる第４の状態に切り替える。これにより、使用者は、プロジェクターの異常情報のメッセージ画面投写を解除して、入力された画像情報に応じた画像（以降、「入力画像」と呼ぶ）の視聴を開始することが可能になる。
【００１５】
［適用例４］上記適用例に係るプロジェクターにおいて、前記画像情報が入力される画像情報入力部をさらに備え、前記制御部は、前記第３の状態において、所定の時間が経過すると、前記画像投写部に前記メッセージ画面情報に応じた画像光の投写を終了させ、前記画像情報入力部に入力された画像情報に応じた画像光を投写させる第４の状態に切り替えることを特徴とする。
【００１６】
このようなプロジェクターによれば、画像情報入力部には、画像情報が入力される。制御部は、第３の状態において所定の時間が経過すると、メッセージ画面情報に応じた画像光の投写を終了させ、入力された画像情報に応じた画像光を投写させる第４の状態に切り替える。これにより、使用者は、プロジェクターの異常情報の投写を解除して、入力画像の視聴を開始することが可能になる。
【００１７】
［適用例５］本適用例に係るプロジェクターの制御方法は、光源から射出された光を画像情報に応じて画像光に変調して投写する画像投写部を備えるプロジェクターの制御方法であって、外部電源から電力が供給されたときに前記光源の点灯を開始する第１のモード、または、前記外部電源から電力が供給されたときに前記光源を点灯しない第２のモードのいずれかの設定を行うモード設定ステップと、前記プロジェクターの異常を検知する異常検知ステップと、前記異常検知ステップによって検知された前記異常を異常情報として記憶する異常記憶ステップと、前記異常記憶ステップによって記憶された前記異常情報を報知する異常報知ステップと、を備え、前記モード設定ステップによって前記第１のモードが設定されており、且つ前記異常記憶ステップによって前記異常情報が記憶されている場合、前記外部電源からの電力が遮断されている第１の状態において、前記外部電源から電力が供給されると、前記光源を点灯することなく、前記異常報知ステップによって前記異常情報を報知させる第２の状態に切り替える制御ステップと、を備えることを特徴とする。
【００１８】
このようなプロジェクターの制御方法によれば、使用者が、プロジェクターが異常となっていることに気付かずに外部電源からの電力を遮断した後、外部電力から電力を供給した際には、プロジェクターは光源の点灯を行わないため、異常が再発することを防止することができる。また、使用者は、異常情報の報知によってプロジェクターの異常を認識することができる。そして、使用者は、異常に対する対策を行うことが可能になる。
【００１９】
また、上述したプロジェクターおよびその制御方法がプロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、プロジェクターの内部記憶装置（ＲＡＭ（Random Access Memory）やＲＯＭ（Read Only Memory）等の半導体メモリー）、及び外部記憶装置（ＵＳＢ（Universal Serial Bus）メモリー等）等、前記コンピューターが読み取り可能な種々の媒体を利用することができる。
【図面の簡単な説明】
【００２０】
【図１】実施形態に係るプロジェクターの概略構成を示すブロック図。
【図２】プロジェクターの状態遷移図。
【図３】プロジェクターの電源遮断状態において商用電源から電力が供給された際の処理のフローチャート。
【図４】プロジェクターの異常待機状態における処理のフローチャート。
【図５】高温異常の場合の異常メッセージ画面の説明図。
【図６】プロジェクターの異常メッセージ投写状態における処理のフローチャート。
【図７】プロジェクターの通常投写状態における処理のフローチャート。
【図８】プロジェクターの通常待機状態における処理のフローチャート。
【発明を実施するための形態】
【００２１】
以下、実施形態について説明する。
【００２２】
（実施形態）
本実施形態では、ダイレクトオンモードが設定されている場合にも、異常の再発を防止することが可能なプロジェクターについて説明する。
【００２３】
図１は、本実施形態に係るプロジェクターの概略構成を示すブロック図である。図１を使用して、プロジェクター１の内部構成について説明する。
【００２４】
プロジェクター１は、画像投写部１０、制御部２０、操作受付部２１、温度検出部２２、異常記憶部２３、モード設定部２４、光源制御部２５、ＬＥＤ制御部２６、ＬＥＤ２７、画像情報入力部３１、画像処理部３２、ＯＳＤ（オンスクリーンディスプレイ）処理部３３等を備えている。
【００２５】
画像投写部１０は、超高圧水銀ランプやメタルハライドランプ等の放電型光源、又はＬＥＤ（Light Emitting Diode）やレーザー等の固体光源からなる光源１１と、光変調装置としての液晶ライトバルブ１２と、投写レンズ１３と、液晶ライトバルブ１２を駆動するライトバルブ駆動部１４とを備えている。
【００２６】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００２７】
光源１１から射出された光は、この液晶ライトバルブ１２を透過することによって変調され、変調後の光が投写レンズ１３によって投写されることにより、スクリーンＳＣ等に画像信号に応じた画像が表示される。
【００２８】
制御部２０は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１の動作を統括制御する。
【００２９】
また、制御部２０は、温度検出部２２や光源制御部２５から通知された情報に基づき、異常を検知する。このときの制御部２０が異常検知部に相当する。また、制御部２０には、時間の計測を行うタイマー２０ａが備えられている。本実施形態では、タイマー２０ａは、異常メッセージ画面を投写させる所定の時間として、３０秒を計時する。
【００３０】
操作受付部２１は、プロジェクター１に対して各種指示を行うための複数のキー等を備えている。操作受付部２１が備えるキーとしては、電源のオン／オフを行うための「電源キー」や、入力された画像信号を切り替えるための「入力切替キー」、各種設定を行うためのメニュー画面の表示／非表示を切り替える「メニューキー」、メニュー画面におけるカーソルの移動等に用いられる「カーソルキー」、各種設定を決定するための「決定キー」等がある。使用者が操作受付部２１を操作すると、操作受付部２１は、使用者の操作内容に応じた制御情報を制御部２０に出力する。なお、操作受付部２１は、リモコン信号受信部（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信部がこれを受信して制御情報として制御部２０に伝達する。
【００３１】
温度検出部２２は、図示しない１つ以上の温度センサー（サーミスター等）を有して構成され、プロジェクター１の筐体内部において冷却が必要とされる構成要素、例えば画像投写部１０等の温度を測定する。温度検出部２２は、測定した温度の情報を制御部２０に出力する。
【００３２】
異常記憶部２３は、不揮発性のメモリーからなり、制御部２０が異常を検知した際に、異常情報としてその異常種別を記憶する。本実施形態では、異常種別としては、温度検出部２２により検出される温度の異常である高温異常や、温度検出部２２の温度センサーの異常であるセンサー異常、光源１１の異常である光源異常等とする。なお、異常種別はこれらに限定するものではなく、その他の異常検出手段により検出された異常種別としてもよい。なお、異常記憶部２３に対する異常種別の書き込みは、制御部２０が行う。また、記憶された異常種別は、制御部２０によって読み出される。
【００３３】
モード設定部２４は、不揮発性のメモリーからなり、ダイレクトオンモードの設定情報を記憶する。ここで、ダイレクトオンモード設定情報とは、プロジェクター１のモードがダイレクトオンモードまたは通常モードのどちらに設定されているかを表す情報である。即ち、ダイレクトオンモードの設定が有効となっているか否かについての情報である。なお、ダイレクトオンモードは、ＡＣ電源等の図示しない外部電源（以降、「商用電源」とも呼ぶ）から電力が供給されたときに光源１１の点灯を開始する第１のモードであり、通常モードは、外部電源から電力が供給されたときに光源１１を点灯しない第２のモードである。ダイレクトオンモード設定情報は、制御部２０によって書き込みおよび読み出しが行われる。本実施形態では、使用者が操作受付部２１に備わる各種キーを操作することで、制御部２０を介して、ダイレクトオンモード設定情報を設定可能としている。例えば、プロジェクター１にメニュー画面に、「ダイレクトオンモード設定」項目を設け、使用者が操作受付部２１に備わるメニューキー、カーソルキー、および決定キー等を操作することによって、ダイレクトオンモード設定情報を設定できるものとする。
【００３４】
光源制御部２５は、制御部２０の指示に基づいて、光源１１に対する電力の供給と停止とを制御し、光源１１の点灯および消灯を切り替える。また、光源制御部２５は、光源１１の異常を検出すると、制御部２０に光源異常の情報を通知する。
【００３５】
ＬＥＤ制御部２６は、制御部２０の指示に基づいて、ＬＥＤ２７に対する電力の供給と停止とを制御し、ＬＥＤ２７の点灯および消灯を切り替える。
【００３６】
ＬＥＤ２７は、ＬＥＤ制御部２６によって制御される１つまたは複数のＬＥＤである。本実施形態では、ＬＥＤ２７は、その点灯状態（色、点滅パターン等）によって使用者に異常種別を報知する異常報知部に相当する。
【００３７】
画像情報入力部３１には、パーソナルコンピューターやビデオ再生装置、メモリーカード、ＵＳＢストレージ、デジタルカメラ等、外部の画像供給装置（図示せず）とケーブルを介した接続を行うための各種の画像入力端子が備えられており、画像供給装置から画像情報（画像信号）が入力される。画像情報入力部３１は、入力される画像情報を、画像処理部３２で処理可能な形式の画像データに変換して、画像処理部３２に出力する。
【００３８】
画像処理部３２は、制御部２０の指示に基づいて、画像情報入力部３１から入力される画像データに対して、明るさ、コントラスト、シャープネス、色合い等の調整や、ガンマ補正等の各種画質調整を施す。画像処理部３２は、このような調整および処理を行った画像データをＯＳＤ処理部３３に出力する。
【００３９】
ＯＳＤ処理部３３は、制御部２０の指示に基づいて、メニュー画面やメッセージ画面等のＯＳＤ画像を、画像処理部３２から入力される画像データに重畳する処理を行う。ＯＳＤ処理部３３は、ＯＳＤメモリー３３ａを備えており、ＯＳＤ画像を形成するための図形やフォント等を表すＯＳＤ画像データを記憶している。本実施形態では、ＯＳＤメモリー３３ａは、異常種別をＯＳＤのメッセージ画面（以降、「異常メッセージ画面」とも呼ぶ）として表すためのメッセージ画面情報を記憶している。ＯＳＤメモリー３３ａが、メッセージ画面記憶部に相当する。
【００４０】
制御部２０が、ＯＳＤ画像の重畳を指示すると、ＯＳＤ処理部３３は、必要なＯＳＤ画像データをＯＳＤメモリー３３ａから読み出し、入力画像の所定の位置にＯＳＤ画像が重畳されるように、画像処理部３２から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部３３は、画像処理部３２から出力される画像データを、そのままライトバルブ駆動部１４に出力する。
【００４１】
ライトバルブ駆動部１４が、ＯＳＤ処理部３３から入力される画像データに従って液晶ライトバルブ１２を駆動すると、液晶ライトバルブ１２は、光源１１から入射する光を、画像データに応じて画像光に変調し、この画像光が投写レンズ１３から投写される。
【００４２】
上述した構成により、プロジェクター１は、制御部２０が検知した異常種別を、ＬＥＤ２７によって報知したり、ＯＳＤのメッセージ画面として画像投写部１０によって投写したりすることができる。
以降、プロジェクター１の動作処理について説明する。
【００４３】
まず、プロジェクター１の状態遷移について説明する。図２は、本実施形態に係るプロジェクター１の状態遷移図である。図２に示すように、プロジェクター１は、電源遮断状態ＳＴ１０、異常待機状態ＳＴ１１、異常メッセージ投写状態ＳＴ１２、通常投写状態ＳＴ１３、および通常待機状態ＳＴ１４に遷移可能となっている。
【００４４】
電源遮断状態ＳＴ１０は、ＡＣ１００Ｖ等の商用電源からの電力が遮断されている状態である。電源遮断状態ＳＴ１０では、商用電源から電力が供給されていないため、プロジェクター１は動作していない。電源遮断状態ＳＴ１０において、商用電源から電力が供給されると、プロジェクター１は、モード設定部２４に設定されているダイレクトオンモード設定情報、および異常記憶部２３に記憶されている異常情報の有無に従って、異常待機状態ＳＴ１１、通常投写状態ＳＴ１３、または通常待機状態ＳＴ１４のいずれかに遷移する。具体的には、ダイレクトオンモードが設定されており、且つ、異常情報が記憶されていれば、異常待機状態ＳＴ１１に遷移する。また、ダイレクトオンモードが設定されており、且つ、異常情報が記憶されていなければ、通常投写状態ＳＴ１３に遷移する。また、通常モードが設定されていれば、通常待機状態ＳＴ１４に遷移する。本実施形態では、電源遮断状態ＳＴ１０が第１の状態に相当する。
【００４５】
異常待機状態ＳＴ１１は、プロジェクター１が光源１１の点灯を行っておらず、ＬＥＤ２７を点灯させ、その点灯状態によって異常種別を報知している状態である。異常待機状態ＳＴ１１において、操作受付部２１に備わる電源キーによる電源オン操作がなされると、プロジェクター１は、異常メッセージ投写状態ＳＴ１２に遷移する。また、商用電源からの電力が遮断されると、プロジェクター１は、電源遮断状態ＳＴ１０となる。本実施形態では、異常待機状態ＳＴ１１が第２の状態に相当する。また、異常待機状態ＳＴ１１における電源キーによる電源オン操作が第１の操作に相当する。
【００４６】
異常メッセージ投写状態ＳＴ１２は、プロジェクター１が、光源１１を点灯し、ＯＳＤによる異常メッセージ画面の投写を行っている状態である。異常メッセージ投写状態ＳＴ１２において、操作受付部２１に備わる電源キーによる電源オフ操作がなされると、プロジェクター１は、通常待機状態ＳＴ１４に遷移する。また、異常メッセージ投写状態ＳＴ１２において、３０秒経過するか、操作受付部２１に備わるいずれかのキー操作（電源キー操作は除く）がなされると、プロジェクター１は、通常投写状態ＳＴ１３に遷移する。また、商用電源からの電力が遮断されると、プロジェクター１は、電源遮断状態ＳＴ１０となる。本実施形態では、異常メッセージ投写状態ＳＴ１２が第３の状態に相当する。また、異常メッセージ投写状態ＳＴ１２におけるいずれかのキー操作が第２の操作に相当する。
【００４７】
通常投写状態ＳＴ１３は、プロジェクター１が、光源１１を点灯し、入力された画像情報（画像信号）に基づく画像を投写している状態である。通常投写状態ＳＴ１３において、異常が検知されると、プロジェクター１は、異常待機状態ＳＴ１１に遷移する。また、通常投写状態ＳＴ１３において、操作受付部２１に備わる電源キーによる電源オフ操作がなされると、プロジェクター１は、通常待機状態ＳＴ１４に遷移する。また、商用電源からの電力が遮断されると、プロジェクター１は、電源遮断状態ＳＴ１０となる。本実施形態では、通常投写状態ＳＴ１３が第４の状態に相当する。
【００４８】
通常待機状態ＳＴ１４は、プロジェクター１が、光源１１が点灯されることなく、電源オン操作が行われるのを待機している状態である。通常待機状態ＳＴ１４において、電源キーによる電源オン操作が行われると、プロジェクター１は、通常投写状態ＳＴ１３に遷移する。また、商用電源からの電力が遮断されると、プロジェクター１は、電源遮断状態ＳＴ１０となる。
【００４９】
次に、プロジェクター１の各状態における処理について説明する。
図３は、プロジェクター１の電源遮断状態ＳＴ１０において商用電源から電力が供給された際の処理のフローチャートである。
【００５０】
電源遮断状態ＳＴ１０において、商用電源から電力が供給されると、制御部２０は、モード設定部２４に記憶されているダイレクトオンモード設定情報を読み出して、ダイレクトオンモードが設定されているか否かを判断する（ステップＳ１０１）。ダイレクトオンモードが設定されていれば（ステップＳ１０１：ＹＥＳ）、制御部２０は、異常記憶部２３に異常情報が記憶されているか否かを判断する（ステップＳ１０２）。
【００５１】
異常情報が記憶されていた場合（ステップＳ１０２：ＹＥＳ）、制御部２０は、ＬＥＤ制御部２６に指示を出して、異常種別に応じてＬＥＤ２７を点灯させる（ステップＳ１０３）。そして、制御部２０は、プロジェクター１を異常待機状態ＳＴ１１に遷移させる（ステップＳ１０４）。そして、プロジェクター１に商用電源から電力が供給された際の処理を終了する。
【００５２】
異常情報が記憶されていない場合（ステップＳ１０２：ＮＯ）、制御部２０は、光源制御部２５に指示を出して、光源１１を点灯させる（ステップＳ１０５）。そして、制御部２０は、画像処理部３２に指示を出して、入力画像の投写を開始させる（ステップＳ１０６）。そして、制御部２０は、プロジェクター１を通常投写状態ＳＴ１３に遷移させる（ステップＳ１０７）。そして、プロジェクター１に商用電源から電力が供給された際の処理を終了する。
【００５３】
ダイレクトオンモードが設定されていない場合、即ち通常モードが設定されていた場合（ステップＳ１０１：ＮＯ）、制御部２０は、プロジェクター１を通常待機状態ＳＴ１４に遷移させる（ステップＳ１０８）。そして、プロジェクター１に商用電源から電力が供給された際の処理を終了する。
【００５４】
次に、プロジェクター１の異常待機状態ＳＴ１１における処理について説明する。
図４は、プロジェクター１の異常待機状態ＳＴ１１における処理のフローチャートである。
【００５５】
異常待機状態ＳＴ１１において、制御部２０は、操作受付部２１に備わる電源キーによる電源オン操作が行われたか否かを判断する（ステップＳ２０１）。電源オン操作が行われていれば（ステップＳ２０１：ＹＥＳ）、制御部２０は、光源制御部２５に指示を出して光源１１を点灯させる（ステップＳ２０２）。そして、制御部２０は、ＯＳＤ処理部３３に指示を出して、異常記憶部２３に記憶された異常種別に応じた異常メッセージ画面を投写させる（ステップＳ２０３）。
【００５６】
ここで、異常メッセージ画面について説明する。本実施形態では、高温異常の場合の異常メッセージ画面について説明する。
図５は、高温異常の場合の異常メッセージ画面の説明図である。図５に示すように、異常メッセージ画面Ｍ１には、「内部高温異常です」、「エアフィルター・排気口がふさがれていないか、壁際に設置されていないか確認してください。」、「エアフィルターが目詰まりしているときは、掃除または交換をしてください。」、および「上記を確認後も異常となる場合は、販売店に修理を依頼してください。」の文字列が表示される。
【００５７】
図４に戻り、制御部２０は、タイマー２０ａをスタートさせる（ステップＳ２０４）。そして、制御部２０は、プロジェクター１を異常メッセージ投写状態ＳＴ１２に遷移させる（ステップＳ２０５）。そして、プロジェクター１の異常待機状態ＳＴ１１における処理を終了する。
【００５８】
電源キーによる電源オン操作が行われていない場合は（ステップＳ２０１：ＮＯ）、ステップＳ２０１に戻り、電源オン操作が行われるのを待ち続ける。なお、異常待機状態ＳＴ１１において、商用電源からの電力が遮断されると、プロジェクター１は、電源遮断状態ＳＴ１０となる。
【００５９】
次に、プロジェクター１の異常メッセージ投写状態ＳＴ１２における処理について説明する。
図６は、プロジェクター１の異常メッセージ投写状態ＳＴ１２における処理のフローチャートである。
【００６０】
異常メッセージ投写状態ＳＴ１２において、制御部２０は、操作受付部２１に備わる電源キーによる電源オフ操作が行われたか否かを判断する（ステップＳ３０１）。電源オフ操作が行われていれば（ステップＳ３０１：ＹＥＳ）、制御部２０は、光源制御部２５に指示を出して光源１１を消灯させる（ステップＳ３０２）。そして、制御部２０は、プロジェクター１を通常待機状態ＳＴ１４に遷移させる（ステップＳ３０３）。そして、プロジェクター１の異常メッセージ投写状態ＳＴ１２における処理を終了する。
【００６１】
電源オフ操作が行われていない場合（ステップＳ３０１：ＮＯ）、制御部２０は、操作受付部２１に備わるいずれかのキー操作が行われたか否かを判断する（ステップＳ３０４）。いずれかのキー操作が行われていれば（ステップＳ３０４：ＹＥＳ）、制御部２０は、ＯＳＤ処理部３３に指示を出して、異常メッセージ画面の投写を終了させる（ステップＳ３０５）。
【００６２】
制御部２０は、画像処理部３２に指示を出して、入力画像の投写を開始させる（ステップＳ３０６）。そして、制御部２０は、プロジェクター１を通常投写状態ＳＴ１３に遷移させる（ステップＳ３０７）。そして、プロジェクター１の異常メッセージ投写状態ＳＴ１２における処理を終了する。
【００６３】
いずれかのキー操作が行われていなければ（ステップＳ３０４：ＮＯ）、制御部２０は、タイマー２０ａの値が３０秒を経過したか否かを判断する（ステップＳ３０８）。タイマー２０ａの値が３０秒を経過していれば（ステップＳ３０８：ＹＥＳ）、ステップＳ３０５に移行し、通常投写状態ＳＴ１３に遷移する。
【００６４】
タイマー２０ａの値が３０秒を経過していなければ（ステップＳ３０８：ＮＯ）、ステップＳ３０１に移行する。なお、異常メッセージ投写状態ＳＴ１２において、商用電源からの電力が遮断されると、プロジェクター１は、電源遮断状態ＳＴ１０となる。
【００６５】
次に、プロジェクター１の通常投写状態ＳＴ１３における処理について説明する。
図７は、プロジェクター１の通常投写状態ＳＴ１３における処理のフローチャートである。
【００６６】
通常投写状態ＳＴ１３において、制御部２０は、操作受付部２１に備わる電源キーによる電源オフ操作が行われたか否かを判断する（ステップＳ４０１）。電源オフ操作が行われていれば（ステップＳ４０１：ＹＥＳ）、制御部２０は、光源制御部２５に指示を出して光源１１を消灯させる（ステップＳ４０２）。そして、制御部２０は、プロジェクター１を通常待機状態ＳＴ１４に遷移させる（ステップＳ４０３）。そして、プロジェクター１の通常投写状態ＳＴ１３における処理を終了する。
【００６７】
電源オフ操作が行われていない場合（ステップＳ４０１：ＮＯ）、制御部２０は、温度検出部２２からの温度情報や光源制御部２５からの光源１１の点灯状況を確認して、異常が検知されたか否かを判断する（ステップＳ４０４）。異常が検知されれば（ステップＳ４０４：ＹＥＳ）、制御部２０は、その異常種別を異常記憶部２３に記憶させる（ステップＳ４０５）。
【００６８】
制御部２０は、光源制御部２５に指示を出して、光源１１を消灯させる（ステップＳ４０６）。そして、制御部２０は、プロジェクター１を異常待機状態ＳＴ１１に遷移させる（ステップＳ４０７）。そして、プロジェクター１の通常投写状態ＳＴ１３における処理を終了する。
【００６９】
異常が検知されない場合（ステップＳ４０４：ＮＯ）、ステップＳ４０１に移行する。なお、通常投写状態ＳＴ１３において、商用電源からの電力が遮断されると、プロジェクター１は、電源遮断状態ＳＴ１０となる。
【００７０】
次に、プロジェクター１の通常待機状態ＳＴ１４における処理について説明する。
図８は、プロジェクター１の通常待機状態ＳＴ１４における処理のフローチャートである。
【００７１】
通常待機状態ＳＴ１４において、制御部２０は、操作受付部２１に備わる電源キーによる電源オン操作が行われたか否かを判断する（ステップＳ５０１）。電源オン操作が行われていれば（ステップＳ５０１：ＹＥＳ）、制御部２０は、光源制御部２５に指示を出して光源１１を点灯させる（ステップＳ５０２）。そして、制御部２０は、画像処理部３２に指示を出して、入力画像の投写を開始させる（ステップＳ５０３）。そして、制御部２０は、プロジェクター１を通常投写状態ＳＴ１３に遷移させる（ステップＳ５０４）。そして、プロジェクター１の通常待機状態ＳＴ１４における処理を終了する。
【００７２】
電源オン操作が行われていない場合は（ステップＳ５０１：ＮＯ）、ステップＳ５０１に移行して電源オン操作を待ち続ける。なお、通常待機状態ＳＴ１４において、商用電源からの電力が遮断されると、プロジェクター１は、電源遮断状態ＳＴ１０となる。
【００７３】
上述したように、プロジェクター１は、電源遮断状態ＳＴ１０と、異常待機状態ＳＴ１１と、異常メッセージ投写状態ＳＴ１２と、通常投写状態ＳＴ１３と、通常待機状態ＳＴ１４との間で遷移することができる。
【００７４】
上述した実施形態によれば、以下の効果が得られる。
（１）プロジェクター１は、電源遮断状態ＳＴ１０において、商用電源から電力が供給されると、ダイレクトオンモードが設定されており、且つ異常情報が記憶されている場合には、光源１１を点灯することなく、異常情報をＬＥＤ２７で報知する異常待機状態ＳＴ１１に遷移する。これにより、使用者が、プロジェクター１が異常となっていることに気付かずに商用電源からの電力を遮断した後、商用電源から電力を供給した際には、プロジェクター１は光源１１の点灯を行わないため、異常が再発することを防止することができる。また、使用者は、プロジェクター１のＬＥＤ２７によって異常を認識することが可能になる。そして、使用者は、異常に対する対策を行うことが可能になるため、有益である。
【００７５】
（２）プロジェクター１は、異常待機状態ＳＴ１１において、電源オン操作を受け付けると、光源１１を点灯させ、異常メッセージ画面Ｍ１を投写させる異常メッセージ投写状態ＳＴ１２に遷移する。これにより、使用者は、プロジェクター１の異常を、投写された異常メッセージ画面Ｍ１によって視認することができる。また、異常メッセージ画面Ｍ１には、異常に対する対処方法が表示されるため、使用者は、取扱説明書等を見なくとも具体的な対処方法を認識することが可能になり、利便性が向上する。
【００７６】
（３）プロジェクター１は、異常メッセージ投写状態ＳＴ１２において、いずれかのキー操作が行われるか、または、３０秒が経過すると、異常メッセージ画面Ｍ１の投写を終了させ、入力された画像情報に応じた画像光を投写する通常投写状態ＳＴ１３に遷移する。これにより、使用者は、プロジェクター１の異常メッセージ画面Ｍ１の投写を解除して、入力画像の視聴を開始することが可能になる。
【００７７】
なお、上述した実施形態に限定されず、種々の変更や改良等を加えて実施することが可能である。変形例を以下に述べる。
【００７８】
（変形例１）上記実施形態では、プロジェクター１は、異常待機状態ＳＴ１１において、ＬＥＤ２７を点灯させ、その点灯状態によって異常種別を報知するものとしたが、これに限定するものではない。例えば、ブザーやスピーカー（いずれも図示せず）を備え、ブザー音や音声によって異常種別を報知してもよい。また、プロジェクター１に液晶ディスプレイ（図示せず）等を備え、その液晶ディスプレイによって異常種別を報知してもよい。
【００７９】
（変形例２）上記実施形態では、異常メッセージ投写状態ＳＴ１２において、異常メッセージ画面を投写させる所定の時間として３０秒を計時するものとしたが、３０秒に限定するものではない。
【００８０】
（変形例３）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００８１】
１…プロジェクター、１０…画像投写部、１１…光源、１２…液晶ライトバルブ、１３…投写レンズ、１４…ライトバルブ駆動部、２０…制御部、２０ａ…タイマー、２１…操作受付部、２２…温度検出部、２３…異常記憶部、２４…モード設定部、２５…光源制御部、２６…ＬＥＤ制御部、２７…ＬＥＤ、３１…画像情報入力部、３２…画像処理部、３３…ＯＳＤ処理部、３３ａ…ＯＳＤメモリー。
【図１】
2012003043.tif 000003
【図２】
2012003043.tif 000004
【図３】
2012003043.tif 000005
【図４】
2012003043.tif 000006
【図５】
2012003043.tif 000007
【図６】
2012003043.tif 000008
【図７】
2012003043.tif 000009
【図８】
2012003043.tif 000010